(57)【要約】【課題】コンバインの機体に掛ける機体用シートを簡単な構成で、又、軽く、更に簡単な操作で掛けることができるようにしようとするものである。【解決手段】コンバイン１の機体１ａへ機体用シート１０を掛けるときには、この機体用シート１０を支える複数の支持装置９を、運転操作キャビン７の天井７ａ部へ収納自在に設けた構成である。又、支持装置９を各々機体１ａの上方部へ張り出し操作して、機体用シート１０を掛ける。更に支持装置９は、機体１ａの左側前部・後部上方、及び右側後部上方へ張り出し操作できるように設けた構成である。【選択図】  図１
2004329125.tif 000002
【特許請求の範囲】
【請求項１】
走行装置３と、刈取機４と、脱穀機５と、エンジン６等で形成される機体１ａと、該機体１ａを覆う機体シート１０等よりなるコンバインにおいて、前記機体１ａへ機体用シート１０を掛けるときに、該機体用シート１０を支える複数の支持装置９は、操作装置８等を内装する運転操作キャビン７の天井７ａ部へ収納自在に設けたことを特徴とするコンバインの機体シート装着装置。
【請求項２】
複数の前記支持装置９を各々機体１ａの上方部へ張り出し操作して、機体用シート１０を機体１ａへ掛けて覆うことを特徴とする請求項１に記載のコンバインの機体シート装着装置。
【請求項３】
複数の前記支持装置９は、少なくとも、機体１ａの左側前部上方、左側後部上方、及び右側後部上方へ向かって張り出しすべく設けたことを特徴とする請求項１、又は請求項２に記載のコンバインの機体シート装着装置。
【発明の詳細な説明】
【０００１】
【発明の属する技術分野】
この発明は、コンバインの機体へ機体用シートを掛けて、機体を覆うときに、機体用シートを支える複数の支持装置を、運転操作キャビンの天井部へ収納自在に設けた技術であり、コンバインの機体シート装着装置として利用できる。
【０００２】
【従来の技術】
収穫した穀粒を機外へ排出する排出オーガを有するコンバインで、穀稈を収穫作業中に日暮となり、収穫作業を中止したとき、及び収穫作業が終了して、翌日は近くの圃場を収穫作業するとき等は、このコンバインは、圃場へおいておくことがある。このときは、特に、特開平９−３１３０２７公報に記載の如く排出オーガの上側に設けた機械シート収納装置の巻取りシャフトへ巻き回したシートは、左右両側の押え棒体がスプリングで押圧されていることにより、押圧されて支持されているが、ハンドルの回動操作により、シートは下方へ向かって巻き出しされて、コンバインの機体の左右両側は、覆われてカバーされる。機体は雨等が降ったときであっても、雨から保護される。
【０００３】
【特許文献１】
特開平９−３１０３０２７
【０００４】
【発明が解決しようとする課題】
コンバインの機体を形成する排出オーガには、常時シートを有する機械シート収納装置が載置されていることにより、機体全体の重量が重くなり、コストアップになる。又、排出オーガを必要以上に強度アップが必要になる。更にこの機械シート収納装置の構成が複雑であり、コストアップになること等があったが、この発明により、これらの問題点を解決しようとするものである。
【０００５】
【課題を解決するための手段】
このために、この発明は、請求項１に記載の発明においては、走行装置３と、刈取機４と、脱穀機５と、エンジン６等で形成される機体１ａと、該機体１ａを覆う機体用シート１０等よりなるコンバインにおいて、前記機体１ａへ機体用シート１０を掛けるときに、該機体用シート１０を支える複数の支持装置９は、操作装置８等を内装する運転操作キャビン７の天井７ａ部へ収納自在に設けたことを特徴とするコンバインの機体シート装着装置としたものである。
【０００６】
前記走行装置３と、刈取機４と、脱穀機５と、エンジン６等により、機体１ａが形成されたコンバインで穀稈を収穫作業中に日暮となり、収穫作業を中止したとき、及び収穫作業が終了して、翌日は近くの圃場を収穫作業するとき等は、このコンバインは、圃場へおいて置くことがあるが、このときには、操作装置８等を内装した運転操作キャビン７の天井７ａ部へ収納自在に設けた複数個の各支持装置９を引き出し操作し、機体１ａの上部をこの各支持装置９により、略平面状態にして、機体１ａの上側の各支持装置９上へ機体用シート１０を一方側部より掛けて、コンバインの機体１ａをこの機体用シート１０で覆ってカバーする。この機体１ａは雨が降ったときであっても、雨から保護することができる。
【０００７】
請求項２に記載の発明においては、複数の前記支持装置９を各々機体１ａの上方部へ張り出し操作して、機体用シート１０を機体１ａへ掛けて覆うことを特徴とする請求項１に記載のコンバインの機体シート装着装置としたものである。
圃場へコンバインをおいて置くことがあるが、このときには、前記運転操作キャビン７の天井７ａ部へ設けた複数個の各支持装置９を、各々機体１ａの上方部へ張り出し操作して、この機体１ａの上部をこの各支持装置９により、略平面状態にして、機体１ａの上側の各支持装置９上へ機体用シート１０を一方側部より掛けて、コンバインの機体１ａをこの機体用シート１０で覆ってカバーする。この機体１ａは雨が降ったときであっても、雨から保護することができる。
【０００８】
請求項３に記載の発明においては、複数の前記支持装置９は、少なくとも、機体１ａの左側前部上方、左側後部上方、及び右側後部上方へ向かって張り出しすべく設けたことを特徴とする請求項１、又は請求項２に記載のコンバインの機体シート装着装置としたものである。
【０００９】
圃場へ前記コンバインをおいて置くことがあるが、このときには、前記運転操作キャビン７の天井７ａ部には、少なくとも、機体１ａの左側前部上方、左側後部上方、及び右側後部上方へ向けて、張り出し操作する各支持装置９を設けている。この各支持装置９を張り出し操作し、この機体１ａの上部を略平面状態にして、機体１ａの上側の各支持装置９上へ機体用シート１０を一方側部より掛けて、コンバインの機体１ａをこの機体用シート１０で覆ってカバーする。この機体１ａは雨が降ったときであっても、雨から保護することができる。
【００１０】
【発明の効果】
請求項１に記載の発明においては、コンバインの機体１ａの操作装置８等を内装した運転操作キャビン７の天井７ａ部には、機体１ａへ機体用シート１０を掛けるとき、この機体用シート１０を支持する複数の支持装置９を収納自在に設けたことにより、この各支持装置９を容易に簡単に収納することができる。又、この各支持装置９は軽く、このために、コンバインは重量アップにならなく、コストアップになることがない。
【００１１】
請求項２に記載の発明においては、前記各支持装置９を各々機体１ａの上方部へ張り出し操作して、機体用シート１０を、機体１ａへ掛けて覆う構成としたことにより、機体１ａへ機体用シート１０を簡単に掛けて、カバーすることができる。
【００１２】
請求項３に記載の発明においては、前記各支持装置９は、少なくとも、機体１ａの左側前部上方、左側後部上方、及び右側後部上方へ向けて、張り出しすべく設けたことにより、機体１ａへ機体用カバー１０を簡単に掛けて、カバーすることができる。
【００１３】
【発明の実施の形態】
以下、本発明の一実施例を図面に基づいて説明する。
コンバイン１の機体１ａは、走行車台２の下部の走行装置３と、前方部の刈取機４と、上部の脱穀機５と、エンジン６等により、形成された構成である。コンバイン１を運転操作する操作装置８は、運転操作キャビン７へ内装した構成である。この運転操作キャビン７の天井板７ａ部には、コンバイン１の機体１ａへ機体用シート１０を掛けるときに支持する複数個の支持装置９を収納自在に設けた構成である。これら機体用シート１０、及び各支持装置９を主に図示して説明する。
【００１４】
前記コンバイン１の走行車台２の下側には、図１、及び図２で示す如く土壌面を走行する左右一対の走行クローラ３ａを張設した走行装置３を配設し、走行車台２の前方部には、立毛穀稈を刈取りして、後方上部へ移送する刈取機４を配設し、走行車台２の上側には、刈取機４で後方上部へ移送された刈取り穀稈を、フィードチェン５ａと、挟持杆５ｂとで引継ぎ挟持移送中に脱穀する脱穀機５を載置した構成である。この脱穀機５で脱穀された脱穀済み穀粒は、この脱穀機５の右横側へ配設した穀粒貯留タンク１１内へ脱穀機５で揚送供給されて、一時貯留される構成である。
【００１５】
前記穀粒貯留タンク１１側の前方部で、走行車台２の上側には、コンバイン１を運転操作する操作装置８と、運転作業者が搭乗して、この操作装置８を操作する操縦席８ａを設けた構成である。これら操作装置８、及び操縦席８ａは、運転操作キャビン７へ内装した構成である。操縦席８ａの下側で、走行車台２の上側には、エンジン６を載置した構成である。
【００１６】
前記コンバイン１の機体１ａを覆う機体用シート１０を取り外し自在に設けた構成である。
前記機体用シート１０を機体１ａへ掛けて、この機体１ａを覆ってカバーするときに、この機体用シート１０を支持して、容易に掛けることができるようにする複数個の支持装置９は、図１〜図４で示す如く運転操作キャビン７の天井７ａ部へ収納自在に設けた構成である。
【００１７】
前記機体１ａへ機体用シート１０を掛けて、この機体１ａを覆ってカバーするときは、機体用シート１０は、運転操作キャビン７の天井７ａ部へ収納自在に設けた複数個の支持装置９で支持されて、掛けられることにより、この各支持装置９を容易に簡単に収納することができる。又、この各支持装置９は軽く構成されていることにより、コンバイン１は重量アップにならなく、コストアップになることがない。
【００１８】
又、前記各支持装置９は、図１〜図４で示す如く運転操作キャビン７の天井７ａ部を形成した天井板の外側面へ設けた各取付板７ｂへ上下回動自在に装着して設けた構成である。この各支持装置９はパイプ材等よりなり、このパイプ材を複数個に分割して、順次収縮自在に構成し、基部側の支持パイプ９ａを取付板７ｂへ支持ピン９ｃで回動自在に装着した構成である。
【００１９】
前記機体１ａへ機体用シート１０を掛けるときには、天井７ａ部へ収納した各支持装置９を、天井７ａ部から機体１ａの上方部へ回動操作し、その後にこの各支持装置９の各支持パイプ９ａへ順次挿入して組付けられた、複数個の各調節パイプ９ｂを、機体１ａの上方部へ張り出し（引き出し）操作して、これら各支持装置９の各支持パイプ９ａ、及び複数個の各調節パイプ９ｂを、機体１ａの上部へ位置させた後に、この各支持装置９の各支持パイプ９ａ、及び各調節パイプ９ｂを支持部材として、機体用シート１０を支持させて、機体１ａの一方側の左側、又は右側より、機体用シート１０を引っ張り操作して、機体１ａへ掛けて、この機体１ａを覆ってカバーする構成である。又、収穫作業中は各支持装置９は、運転操作キャビン７の天井７ａ部へ回動操作し、この天井７ａ部へ収納して、収穫作業する構成である。各調節パイプ９ｂの先端部には、機体用シート１０を掛けるときに、滑りを良くするために、樹脂材等よりなるキャップ９ｄを装着した構成である。
【００２０】
前記各支持装置９を各々機体１ａの上方部へ張り出し操作して、機体用シート１０を機体１ａへ掛けて覆う構成としたことにより、機体１ａへ機体用シート１０を簡単に掛けて、カバーすることができる。
前記各支持装置９は、図１、及び図２で示す如く少なくとも、機体１ａの左側前部上方と、左側後部上方と、右側後部上方とへ向けて、この各支持装置９の各支持パイプ９ａ、及び複数個の各調節パイプ９ｂを張り出して（引き出して）、機体１ａの上部の各所定位置へ位置させて設けた構成である。
【００２１】
前記各支持装置９は、少なくとも、機体１ａの左側前部上方と、左側後部上方と、右側後部上方へ向けて、張り出しすべく設けたことにより、機体１ａへ機体用シート１０を簡単に掛けて、カバーすることができる。
前記各支持装置９は、図１〜図４で示す如くこの支持装置９の基部側の支持パイプ９ａを装着した、支持ピン９ｃを回動中心として、上下回動自在な構成であると共に、機体用シート１０をコンバイン１の機体１ａへ掛けないときには、各支持装置９の各支持パイプ９ａ、及び複数個の収縮自在な各調節パイプ９ｂは、コンバイン１の運転操作キャビン７の天井７ａ部へ回動操作して、収納できる構成である。又、伸張は、機体１ａの隅部へ向けて伸張する構成である。
【００２２】
これにより、前記支持装置９の回動操作、及び伸張操作により、簡単に機体用シート１０を掛けることができる。又、支持ピン９ｃを上下回動中心として、回動させることにより、各調節パイプ９ｂの伸張、及び収縮を容易に行うことができる。
【００２３】
機体用シート１２は、図５〜図８で示す如く上下方向の四隅には、ファスナ１２ａを設けて、開閉自在な構成とすると共に、上下方向の四隅部と、上端部の四隅部と、前後方向の下端部とには、円形状の支持ガイド１２ｂを所定間隔に設けた構成である。
【００２４】
前記機体用シート１２の各支持ガイド１２ｂへ挿入するアルミ等の軽量材よりなり、組立て方式で、更に折り畳み方式の各支持パイプ１３を設けて、この各支持パイプ１３は、機体用シート１２の各支持ガイド１２ｂの上下方向の四隅部と、上端部の四隅部と、下端部の前後方向の二箇所とへ挿入して、機体用シート１２を組立て、機体用シート１２の一方側を開状態に操作後に、コンバイン１を走行させて、機体用シート１２内へ入れて、この機体用シート１２の開状態部をファスナ１２ａにより、閉状態にする構成である。
【００２５】
前記支持パイプ１３内には、図６、及び図７で示す如くロープ状で、弾性材よりなる連結部材１３ａを挿入して、複数個の支持パイプ１３を連結して、組立可能にすると共に、折り畳み可能とした構成である。
これにより、前記機体用シート１２の各支持ガイド１２ｂ部へ組立式の各支持パイプ１３を挿入して、機体用シート１２を組立て、コンバイン１を走行操作させて、機体用シート１２のファスナ１２ａを操作して、カバーができることにより、コンバイン１の機体１ａのカバーが容易である。又、各支持パイプ１３は連結部材１３ａで連結させていることにより、組立が容易である。
【００２６】
前記コンバイン１の特に雨に弱い部分である脱穀機５には、図９、及び図１０で示す如くこの脱穀機５の形状にあったキャップ方式の前機体用カバー１３ｂと、後機体用カバー１３ｃとを設けた構成である。
これにより、前記脱穀機５の形状にあったキャップ方式の前・後機体カバー１３ｂ，１３ｃとしたことにより、脱穀機５へ乗せるだけでよく、装着操作が簡単である。
【００２７】
前記コンバイン１の外側部には、図１１で示す如く滑車１４を所定間隔に回動自在に軸支して設け、この各滑車１４には、フック１４ｂを設けた紐形状の回転体１４ａを掛け渡した構成である。この回転体１４ａは、作業者の手動操作により、回転する構成である。この滑車１４は前後方向に一列設けるもよく、又、数列を設ける構成とするもよい。
【００２８】
前記回転体１４ａのフック１４ｂへ機体用シート１０を装着して、回転体１４ａを手動回動させて、コンバイン１の機体１ａへ機体用シート１０を掛けて、この機体１ａをカバーする構成である。
これにより、前記機体用シート１０をコンバイン１の機体１ａ上へ容易に引き上げることができて、機体用シート１０を掛ける労力を大巾に軽減することができる。
【００２９】
図１２、及び図１３で示す如くトラクター等により、牽引可能なコンバイン移動用台車１５を設け、このコンバイン移動台車１５の走行車台１５ａの下側の左右両側には、車輪１６を設けた構成である。走行車台１５ａの上側の前後両端部には、門形状の前・後支持柱１７を設け、この前・後支持柱１７間には、回動軸１７ａを回動自在に軸支して設けた構成である。この回動軸１７ａには、左・右カバー１８ａ，１８ｂを装着して設けた構成であり、この左・右カバー１８ａ，１８ｂが上下に開閉回動する構成である。
【００３０】
これにより、前記コンバイン移動台車１５上側へコンバイン１を載置することにより、コンバイン１の機体１ａをカバーすることができて、このために、特別な機体用カバーが不要となる。
前記シート巻取装置１９は、図１４〜図１６で示す如く左右両側の主柱１９ａの上部には、回動ドラム１９ｂを回転自在に軸支して設けた構成である。この回動ドラム１９ｂには、機体用シート２０を巻き付けた構成である。又、コンバイン１の後端部で、左右方向略中央部には、回動自在に縦支持軸２１を軸支して設けた構成である。
【００３１】
前記コンバイン１の機体１ａへシート巻付装置１９へ巻き付けた機体用シート２０を巻き掛けるときには、コンバイン１の後部へシート巻取装置１９を設置して、機体用シート２０の端部の左右方向略中央部に設けた挿入孔２０ａを、コンバイン１の後端部に設けた縦支持軸２１へ挿入する。その後にコンバイン１を所定距離前進走行させて、このコンバイン１を１８０度旋回させると、このコンバイン１の機体１ａの上側には、シート巻取装置１９の機体用シート２０が位置する構成である。
【００３２】
これにより、コンバイン１を前進走行、及び旋回させることにより、このコンバイン１の機体１ａ上側部を機体用シート２０で覆うことができ、このために、この機体用シート２０掛け作業の省力化を図ることができる。
横シート巻取装置２２は、図１７〜図２０で示す如く主柱２２ｂへ回動ドラム２２ａを回転自在に軸支して設けた構成である。この回動ドラム２２ａには、横機体用シート２３を巻き付けた構成である。又、コンバイン１の後端部の右側の上下方向所定位置には、横支持軸２４を軸支して設けた構成である。
【００３３】
前記コンバイン１の機体１ａの横側へ横シート巻取装置２２へ巻き付けた、横機体用シート２３を巻き付けるときには、コンバイン１の後部へ横シート巻付装置２２を設置して、横機体用シート２３の端部の上下方向略中央部に設けた挿入孔２３ａを、コンバイン１の後端部に設けた横支持軸２４へ挿入する。その後に、コンバイン１を走行、及び３６０度旋回させると、このコンバイン１の機体１ａの両横側、及び前後両側へ横機体用シート２３が巻き付けられる構成である。
【００３４】
これにより、前記コンバイン１を走行、及び旋回させることにより、機体１ａの各横側面、及び前後面へ横機体用シート２３を巻き付けることができることにより、この横機体用シート２３を巻き付ける作業の省力化を図ることができる。
前記コンバイン１の機体１ａには、図２１、及び図２２で示す如く家庭用で野菜等をラップするのと同じ材質の超軟質、及び厚みも超薄い樹脂材等よりなる機体用シート２５をロール２５ａへ巻き付けると共に、この巻き付けた機体用シール２５は、箱体２５ｂを挿入し、この箱体２５ｂには、切断用刃２５ｃを設けた構成である。
【００３５】
前記コンバイン１を圃場へ放置するときは、機体用シール２５を適宜巻き付ける構成である。又、作業開始時は、この機体用シール２５を剥ぎ取って廃棄する構成である。
これにより、前記機体用シール２５は、家庭用で野菜等をラップするのと略同じ材質の超軟質、及び超薄材であることにより、例えば、刈取機４、又は脱穀機５のみを覆うこともできて、便利である。
【図面の簡単な説明】
【図１】支持装置と、機体用シートとの平面図
【図２】支持装置と、機体用シートとの側面図
【図３】支持装置の拡大側面図
【図４】支持装置の拡大平面図
【図５】他の実施例を示す図で、機体用シートの全体側面斜視図
【図６】他の実施例を示す図で、支持パイプの全体側面図
【図７】他の実施例を示す図で、支持パイプの分解時の側面斜視図
【図８】他の実施例を示す図で、コンバインと、支持パイプとの背面図
【図９】他の実施例を示す図で、前・後機体用カバー取付部の側面図
【図１０】他の実施例を示す図で、前・後機体用カバー取付部の背面図
【図１１】他の実施例を示す図で、滑車と、回転体との取付部の正面図
【図１２】他の実施例を示す図で、前・後支持軸と、左・右カバーとの取付部の側面図
【図１３】他の実施例を示す図で、前・後支持軸と、左・右カバーとの取付部の背面図
【図１４】他の実施例を示す図で、シート巻付装置のコンバイン作動前の側面図
【図１５】他の実施例を示す図で、シート巻取装置のコンバイン作動後の側面図
【図１６】他の実施例を示す図で、シート巻取装置のコンバイン作動後の平面図
【図１７】他の実施例を示す図で、横シート巻取装置のコンバイン作動前の側面図
【図１８】他の実施例を示す図で、横シート巻取装置のコンバイン作動途中の平面図
【図１９】他の実施例を示す図で、横シート巻取装置のコンバイン作動終了後の側面図
【図２０】他の実施例を示す図で、横シート巻取装置のコンバイン作動終了後の平面図
【図２１】他の実施例を示す図で、機体用シート部の正面図
【図２２】他の実施例を示す図で、機体用シート部の側面図
【符号の説明】
１ａ    機体
３      走行装置
４      刈取機
５      脱穀機
６      エンジン
７      運転操作キャビン
７ａ    天井
８      操作装置
９      支持装置
１０    機体用シート
【図１】
2004329125.tif 000003
【図２】
2004329125.tif 000004
【図３】
2004329125.tif 000005
【図４】
2004329125.tif 000006
【図５】
2004329125.tif 000007
【図６】
2004329125.tif 000008
【図７】
2004329125.tif 000009
【図８】
2004329125.tif 000010
【図９】
2004329125.tif 000011
【図１０】
2004329125.tif 000012
【図１１】
2004329125.tif 000013
【図１２】
2004329125.tif 000014
【図１３】
2004329125.tif 000015
【図１４】
2004329125.tif 000016
【図１５】
2004329125.tif 000017
【図１６】
2004329125.tif 000018
【図１７】
2004329125.tif 000019
【図１８】
2004329125.tif 000020
【図１９】
2004329125.tif 000021
【図２０】
2004329125.tif 000022
【図２１】
2004329125.tif 000023
【図２２】
2004329125.tif 000024